(57)【特許請求の範囲】
【請求項１】
カード５０の挿入・抜去が可能のカード受入空洞４０と、カード５０の接点５１と係合可能としたコンタクト片６１をカード受入空洞４０に片持梁状に臨ませている端子６０とを備えているカード用電気コネクタ１０において、
前記端子６０のコンタクト片６１の先端よりカード受入空洞４０の入口４１側に、前記カード５０の誤挿入を防止するための誤挿入防止突出部７０が設けられ、この誤挿入防止突出部７０は、前記端子６０のコンタクト片６１の両側に沿って設けた平行突出部７１の先端部相互を連続させた第２の誤挿入防止突出部７２の上側中央に突出して設けられていることを特徴とするカード用電気コネクタ。
【請求項２】
前記平行突出部７１、誤挿入防止突出部７０および第２の誤挿入防止突出部７２は、端子６０を装着した絶縁ハウジング２０の底板２３上に、底板２３と一体に形成されている請求項１に記載のカード用電気コネクタ。
【請求項３】
前記平行突出部７１、誤挿入防止突出部７０および第２の誤挿入防止突出部７２は、複数の端子６０の全てのコンタクト片６１の各々に対応させて設けてある請求項１又は２に記載のカード用電気コネクタ。
【発明の詳細な説明】
【０００１】
【発明の属する技術分野】
この発明は、ＩＣカード、メモリーカード等のカード状媒体を挿入・抜去できるようにしたカード用電気コネクタに関する。
【０００２】
【従来の技術】
従来、携帯電話、ＰＤＡ（personal digital assistance）、デジタルカメラ等の電子機器では、ＳＩＭ（subscriber identity module）カード、ＭＭＣ（multi media card）カード、ＳＤ（super density）カードなどのＩＣカードが用いられており、カードの挿入・抜去ができるようにしたカード用電気コネクタが電子機器に設置されている。
【０００３】
したがって、このカード用電気コネクタは、カードの挿入・抜去が可能のカード受入空洞と、カードの接点と係合可能としたコンタクト片をカード受入空洞に片持梁状に臨ませている端子を備えた構成とされている。特開平２００１−１６０４５８号公報には、図１３、１４に示されているようなカードコネクタが開示されている。図において、１００がカード受入空洞であり、１１０が端子であり、１１１がコンタクト片であり、１２０がカードである。また、特開平２００１−１６７２３２号公報には図１５、１６に示されているようなカードコネクタが開示されている。図において、２００がカード受入空洞であり、２１０が端子であり、２１１がコンタクト片であり、２２０がカードである。
【０００４】
このようなカード用電気コネクタでは、カード受入空洞にカードを挿入する場合に、カードの表裏を正規と反対にして挿入したり、カードの前後を正規と反対にして挿入するような誤挿入が行われ、カード受入空洞に臨んでいるコンタクト片を無理に変形させるおそれがあるので、このような誤挿入を未然に防止できる構造が設けられている。
【０００５】
図１１、１２のカードコネクタでは、コンタクト片１１１の両側に沿って突出部１３０を設け、図１２のようにカード１２０が前後を反対にして挿入された時には、カード１２０の本来の後端が突出部１３０に当たってそれ以上の挿入ができないようにしている。
【０００６】
また、図１３、１４のカードコネクタでは、端子２１０に、コンタクト片２１１の両側で突出する突起２３０を設け、この突起２３０によってカード２２０の挿入を途中で停止させて、それ以上の挿入ができないようにしている。
【０００７】
【発明が解決しようとする課題】
このように、従来のカード用電気コネクタにおいては、カードの誤挿入を防止するために、コンタクト片の両側に突出部や突起を設けた構造が採用されていたが、これら突出部や突起の位置がカード側の接点（コンタクト片と係合する部分）の間に対応することから、突出部や突起の高さに制約があり、比較的低い高さで設けられていた。したがって、誤挿入されたカードが突出部や突起を乗り越えてしまったり、突出部や突起が比較的低いので十分な破壊耐久強度を保有させることができずに、誤挿入されたカードで破壊され、結局端子のコンタクト片を変形させてしまうおそれがあった。
【０００８】
この発明は斯かる問題点に鑑みてなされたもので、誤挿入のカードを確実に停止させ、端子のコンタクト片を保護できるカード用電気コネクタを提供することを目的としている。
【０００９】
【課題を解決するための手段】
前記の目的のもとになされたこの発明は、コンタクト片の延長線上に、誤挿入防止突出部を設けて、突出部の高さを比較的高くできるようにし、破壊耐久強度を強くすることを可能にしたものである。
【００１０】
即ちこの発明は、カードの挿入・抜去が可能のカード受入空洞と、カードの接点と係合可能としたコンタクト片をカード受入空洞に片持梁状に臨ませている端子とを備えているカード用電気コネクタにおいて、
前記端子のコンタクト片の先端よりカード受入空洞の入口側に、前記カードの誤挿入を防止するための誤挿入防止突出部が設けられ、この誤挿入防止突出部は、前記端子のコンタクト片の両側に沿って設けた平行突出部の先端部相互を連続させた第２の誤挿入防止突出部の上側中央に突出して設けられていることを特徴とするカード用電気コネクタである。
【００１１】
【作用】
このように構成されるこの発明のカード用電気コネクタでは、誤挿入防止突出部の位置が、コンタクト片の延長線上となってカード側の接点と対応する位置になるため、接点と干渉しない限度で誤挿入防止突出部の高さを比較的高くすることができる。この結果、誤挿入されたカードの乗り越えを防止すると共に、誤挿入防止突出部の破壊耐久強度を向上して、誤挿入されたカードによって破壊されないようにすることができる。
【００１２】
【発明の実施の形態】
以下、この発明の実施形態を添付の図を参照して説明する。
【００１３】
図１は、実施形態のカード用電気コネクタ１０の平面図である。但し、絶縁ハウジング２０に被せられるメタルシェル３０（図５以下参照）は取り除いて示してある。このカード用電気コネクタ１０は、絶縁ハウジング２０とメタルシェル３０で構成されている。絶縁ハウジング２０は、端子装着部２１と、この端子装着部２１から延びて互いに対向している一対の側壁２２と、側壁２２間の下部に端子装着部２１から延びる底板２３が一体となって形成されている。前記メタルシェル３０は、端子装着部２１および一対の側壁２２の上側に載置されて底板２３と対向する頂板３１と、頂板３１の両側縁から垂下して側壁２２の外側面に係合する側板とを有しており、絶縁ハウジング２０に被冠できるようにされている。
【００１４】
絶縁ハウジング２０にメタルシェル３０を被冠して固定することで、メタルシェル３０の頂板３１と、絶縁ハウジング２０の側壁２２および底板２３で囲まれるカード受入空洞４０が画成され、一端（図１において右端）の開口部で構成された入口４１を通してカード受入空洞４０にカード５０（図５以下参照）が挿入・抜去できるようになっている。
【００１５】
絶縁ハウジング２０の端子装着部２１には、複数の端子６０が所定のピッチで装着されて、各端子６０に形成されたコンタクト片６１がカード受入空洞４０に片持梁状となって、端子装着部２１から延びている。コンタクト片６１は、上側に屈曲成形されて屈曲頂部がコンタクト部６２とされ、カード５０の下面側に設けられる接点５１と係合して電気的に接続できるようにしてある。
【００１６】
端子６０のコンタクト片６１がカード受入空洞４０に臨んでいる部分において、前記絶縁ハウジング２０の底板２３上に、カード５０の誤挿入を防止するための誤挿入防止突出部７０が設けてある。この誤挿入防止突出部７０は、カード受入空洞４０に臨んでいるコンタクト片６１の先端より入口４１側に、コンタクト片６１が延びる線上に設置されている。この実施形態では、複数のコンタクト片６１のうち、両側を除くそれぞれのコンタクト片６１の先端の前方に隣接するようにして、即ち、端子６０の装着ピッチと同一のピッチで複数の誤挿入防止突出部７０が設けられている。
【００１７】
前記誤挿入防止突出部７０を設けるために、コンタクト片６１の両側に沿って平行突出部７１が設けられ、かつ、これらの平行突出部７１の先端部（入口側）が第２の誤挿入防止突出部７２で連結されている。平行突出部７１と第２の誤挿入防止突出部７２は、正規に挿入されるカード５０の挿入を妨げない高さで同一の高さとされ、平面で見て櫛歯状に配されている。前記誤挿入防止突出部７０は、平行突出部７１の先端を連結している第２の誤挿入防止突出部７２の上側中央に突出するように設けられている。誤挿入防止突出部７０は、第２の誤挿入防止突出部７２と同一の厚さとされ、また、前記コンタクト片６１の幅と略同一の幅とされている。平行突出部７１および第２の誤挿入防止突出部７２は絶縁ハウジング２０の底板２３に連続しており、誤挿入防止突出部７０は第２の誤挿入防止突出部７２に連続している。即ち、誤挿入防止突出部７０、第２の誤挿入防止突出部７２および平行突出部７１は、絶縁ハウジング２０に一体となっており、絶縁ハウジング２０の成形と同時に成形されているものである。
【００１８】
カード５０がカード受入空洞４０に挿入された時には、前記平行突出部７１はカード５０の下面に設けられる接点５１の間の部分に対応して対向し、誤挿入防止突出部７０は接点５１に対応して対向するようにされている。したがって、平行突出部７１および第２の誤挿入防止突出部７２は、カード５０の接点５１の間の部分が通過できる比較的低い高さとされているのに対し、誤挿入防止突出部７０は、カード５０の接点５１と干渉しない限度において、接点５１に可及的に近接するように第２の誤挿入防止突出部７２から上側に突出している。
【００１９】
次に、上記のように構成されたカード用電気コネクタ１０のカード受入空洞４０にカード５０が挿入される様子を図５〜図１０を参照して説明する。図５〜図７は、図１のＣ−Ｃ線、即ちコンタクト片６１に沿って示した断面図であり、図８〜図１０は図１のＤ−Ｄ線、即ち平行突出部７１に沿って示した断面図である。また、図５と図８はカード５０が挿入される途中の同一時期の図であり、図６と図９はそれぞれカード５０の挿入を完了した時の図である。そして、図７と図１０はカード５０を誤挿入した時の図である。
【００２０】
図５、６および図８、９に示されているように、カード受入空洞４０にカード５０が正しく挿入された時には、誤挿入防止突出部７０、平行突出部７１および第２の誤挿入防止突出部７２の何れも、カード５０と干渉することはなく、カード５０は図６、９のように最終の挿入位置まで挿入することができる。カード５０が最終の挿入位置まで挿入されると、各コンタクト片６１のコンタクト部６２はカード５０の対応する接点５１と係合し、端子６０とカード５０を電気的に接続された状態にすることができる。
【００２１】
上記に反して、カード５０が前後を反対にして誤挿入された場合には、図７、１０に示したように、カード５０の本来の後端５２が誤挿入防止突出部７０および第２の誤挿入防止突出部７２に当たって挿入が停止され、コンタクト片６１を誤挿入のカード５０から保護することができる。
【００２２】
誤挿入防止突出部７０は、カード５０の接点５１に近接する高さまで比較的高い高さで延びているので、誤挿入されたカード５０が乗り越えるのを確実に防止することができる。また、誤挿入防止突出部７０の高さを高くすることができたので、それだけ破壊耐久強度が向上し、誤挿入のカード５０の挿入力によって破壊されることがないようにできる。特に、この実施形態の場合、カード５０の挿入力に対して、平行突出部７１、第２の誤挿入防止突出部７２および誤挿入防止突出部７０が共同して挿入力に対抗するので、破壊耐久強度をきわめて高くすることができる。
【００２３】
尚、以上で説明した実施形態においては、カード受入空洞４０に臨んでいる複数のコンタクト片６１のうち、両側のコンタクト片６１を除く全てのコンタクト片６１に対して、平行突出部７１と第２の誤挿入防止突出部７２を設け、そして、第２の誤挿入防止突出部７２を延長するようにして誤挿入防止突出部７０を設けたが、この形態に限られるものではない。両側のコンタクト片６１の外側にも平行突出部７１を設けて、このコンタクト片６１の先端側にも第２の誤挿入防止突出部７２と誤挿入防止突出部７０を設けることができる。また、複数のコンタクト片６１のうちの何れか一つ若しくは適宜選択したいくつかのコンタクト片６１に対して平行突出部７１、第２の誤挿入防止突出部７２、誤挿入防止突出部７０を設けるようにすることもできる。これらの誤挿入防止突出部７０、第２の誤挿入防止突出部７２および平行突出部７１は、設置する数を増すに従って、誤挿入されるカード５０の挿入力を分担して対抗するので、全体の破壊耐久強度を増強することができる。
【００２４】
【発明の効果】
以上に説明の通り、この発明によれば、誤挿入防止突出部を端子のコンタクト片の先端前方に設けて、高さを比較的高くできるようにしたので、誤挿入のカードを誤挿入防止突出部で確実に停止させ、端子のコンタクト片を保護できるカード用電気コネクタを提供することができる。
【図面の簡単な説明】
【図１】  この発明の実施形態のカード用電気コネクタの、メタルシェルを除いて示した平面図である。
【図２】  図１のＡ部の拡大平面図である。
【図３】  実施形態のカード用電気コネクタの、メタルシェルを除いて示した正面図である。
【図４】図３のＢ部の拡大図である。
【図５】  図１のＣ−Ｃ線に沿って示した拡大断面図で、カードを途中まで挿入した時の図である。
【図６】  同じく、図１のＣ−Ｃ線に沿って示した拡大断面図で、カードを最終挿入位置まで挿入した状態の図である。
【図７】  同じく、図１のＣ−Ｃ線に沿って示した拡大断面図で、カードを誤挿入した時の図である。
【図８】  図１のＤ−Ｄ線に沿って示した拡大断面図で、カードを途中まで挿入した時の図である。
【図９】  同じく、図１のＤ−Ｄ線に沿って示した拡大断面図で、カードを最終挿入位置まで挿入した状態の図である。
【図１０】  同じく、図１のＤ−Ｄ線に沿って示した拡大断面図で、カードを誤挿入した時の図である。
【図１１】  従来のカードコネクタの一部が破切された平面図である。
【図１２】  同じく、断面図である。
【図１３】  従来の別のカードコネクタの一部が破切された平面図である。
【図１４】  同じく断面図である。
【符号の説明】
１０        カード用電気コネクタ
２０        絶縁ハウジング
２３        底板
４０        カード受入空洞
４１        入口
５０        カード
５１        接点
６０        端子
６１        コンタクト片
７０        誤挿入防止突出部
７１        平行突出部
７２        第２の誤挿入防止突出部
【図１】
0003924677.tif 000002
【図２】
0003924677.tif 000003
【図３】
0003924677.tif 000004
【図４】
0003924677.tif 000005
【図５】
0003924677.tif 000006
【図６】
0003924677.tif 000007
【図７】
0003924677.tif 000008
【図８】
0003924677.tif 000009
【図９】
0003924677.tif 000010
【図１０】
0003924677.tif 000011
【図１１】
0003924677.tif 000012
【図１２】
0003924677.tif 000013
【図１３】
0003924677.tif 000014
【図１４】
0003924677.tif 000015